(57)【要約】【課題】  この発明は、予約録画の実行中に電力供給が中断された場合にも、録画予約された番組の終了まで確実に、録画を実行することを目的とする。【解決手段】  第１の電源に接続された録画手段（２０）と、第１の電源から切り替え接続可能に構成される第２の電源と、録画動作が実行されている場合に電力供給に異常があるかを判定する手段（３５）と、第１の電源からの電力供給に異常がある場合は第２の電源（バッテリ）からの電力供給に切り替える手段（３５）を備えるように構成している。【選択図】    図４
2007180601.tif 000002
【特許請求の範囲】
【請求項１】
映像信号を受信して録画媒体に録画する映像受信装置において、
映像信号を受信する映像信号受信手段と、
第１の電源に接続され、前記受信した映像信号を前記録画媒体に録画する録画手段と、
前記第１の電源から切り替え接続可能に構成される第２の電源と、
前記録画手段の録画動作が実行されているかを判定する録画判定手段と
前記第１の電源に接続され、前記録画動作が実行されている場合に前記録画手段への第１の電源からの電力供給に異常があるかを判定する電力供給判定手段と、
前記第１の電源からの電力供給に異常があると判定された場合は前記録画手段への電力供給を前記第１の電源から前記第２の電源に切り替える電源切り替え手段を備え、前記第１の電源からの電力供給に異常があると判定された場合は前記第２の電源から供給された電源を用いて前記録画を継続することを特徴とする映像受信装置。
【請求項２】
映像信号を受信して録画媒体に録画する映像受信装置において、
映像信号を受信する映像信号受信手段と、
第１の電源に接続され、前記受信した映像信号を前記録画媒体に録画する録画手段と、
前記第１の電源から切り替え接続可能に構成される第２の電源と、
前記録画手段の録画動作が実行されているかを判定する録画判定手段と
前記第１の電源に接続され、前記録画動作が実行されている場合に前記録画手段への第１の電源からの電力供給に異常があるかを判定する電力供給判定手段と、
前記録画動作が実行されている番組は録画予約されているかを判定する録画予約判定手段と、
前記第１の電源からの電力供給に異常があると判定された場合は前記録画手段への電力供給を前記第１の電源から前記第２の電源に切り替える電源切り替え手段と、
前記録画予約されていると判定された場合は前記録画予約されている番組の終了時刻に基づいて録画予約を終了させる録画終了手段を備えることを特徴とする映像受信装置。
【請求項３】
前記第２の電源から供給された電源を用いた録画実行後に、前記第１の電源からの電力供給に変更することを特徴とする請求項１乃至２に記載の映像受信装置。
【請求項４】
前記第２の電源はバッテリであることを特徴とする請求項１乃至３に記載の映像受信装置。
【請求項５】
映像信号を受信して録画媒体に録画する映像受信方法において、
映像信号を受信するステップと、
第１の電源に接続され、前記受信した映像信号を前記録画媒体に録画するステップと、
前記録画手段の録画動作が実行されているかを判定するステップと
前記第１の電源に接続され、前記録画動作が実行されている場合に前記録画手段への第１の電源からの電力供給に異常があるかを判定するステップ手段と、
前記第１の電源からの電力供給に異常があると判定された場合は録画手段への電力供給を前記第１の電源から第２の電源に切り替えるステップを備えることを特徴とする映像受信方法。
【請求項６】
映像信号を受信して録画媒体に録画する映像受信方法において、
映像信号を受信するステップと、
第１の電源に接続され、前記受信した映像信号を前記録画媒体に録画するステップと、
前記録画手段の録画動作が実行されているかを判定するステップと
前記第１の電源に接続され、前記録画動作が実行されている場合に録画手段への第１の電源からの電力供給に異常があるかを判定するステップと、
前記録画動作が実行されている番組は録画予約されているかを判定するステップと、
前記第１の電源からの電力供給に異常があると判定された場合は前記録画手段への電力供給を前記第１の電源から前記第２の電源に切り替えるステップと、
前記録画予約されていると判定された場合は前記録画予約されている番組の終了時刻に基づいて録画予約を終了させるステップを備えることを特徴とする映像受信方法。
【発明の詳細な説明】
【技術分野】
【０００１】
この発明は、例えばデジタルテレビジョン放送受信装置（映像受信装置）等のような映像受信装置に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、テレビジョン放送を受信するテレビジョン放送受信装置（映像受信装置）においては、例えば、ユーザが設定したジャンルやキーワード等に基づいて放送番組を自動記録しておき、その記録された番組の中からユーザが必要な番組を選択して視聴することができる機能を有するものが出現している。
【０００４】
この場合、放送番組を記録再生するための記録再生装置としては、多数の番組を記録することができる大記録容量が求められるとともに、記録した番組の中から所望の番組を迅速に検索して再生することができるアクセス性能が求められることから、ＨＤＤ（hard disk drive）が採用されている。
【０００５】
ところで、現在のテレビジョン放送受信装置（映像受信装置）にあっては、ユーザの好み等に応じて映像調整が可能となっている。
【０００６】
特許文献１には、停電時に蓄電池からの給電に切り替えられ、蓄電池からの放流電流を検出してバックアップ可能な時間を算出し、シャットダウンに必要な時間だけ残して運転を続ける技術が開示されている。
【０００７】
しかし、上記特許文献１に開示された技術では予約時間に係わらず処理されるため、録画予約された番組が終了まで録画されない場合があるといった問題があった。
【特許文献１】特開平９−２００９７３号公報
【発明の開示】
【発明が解決しようとする課題】
【０００８】
そこで、この発明は上記事情を考慮してなされたもので、映像受信装置において予約録画の実行中に電力供給が中断された場合にも、録画予約された番組の終了まで確実に、録画を実行することを目的としている。
【課題を解決するための手段】
【０００９】
この発明に係る映像受信装置は、映像信号を受信する映像信号受信手段と、第１の電源に接続され、前記受信した映像信号を前記録画媒体に録画する録画手段と、前記第１の電源から切り替え接続可能に構成される第２の電源と、前記録画手段の録画動作が実行されているかを判定する録画判定手段と前記第１の電源に接続され、前記録画動作が実行されている場合に前記録画手段への第１の電源からの電力供給に異常があるかを判定する電力供給判定手段と、前記第１の電源からの電力供給に異常があると判定された場合は前記録画手段への電力供給を前記第１の電源から前記第２の電源に切り替える電源切り替え手段を備え、前記第１の電源からの電力供給に異常があると判定された場合は前記第２の電源から供給された電源を用いて前記録画を継続するように構成している。
【００１０】
また、この発明に係る映像受信方法は、映像信号を受信するステップと、第１の電源に接続され、前記受信した映像信号を前記録画媒体に録画するステップと、前記録画手段の録画動作が実行されているかを判定するステップと前記第１の電源に接続され、前記録画動作が実行されている場合に前記録画手段への第１の電源からの電力供給に異常があるかを判定するステップ手段と、前記第１の電源からの電力供給に異常があると判定された場合は録画手段への電力供給を前記第１の電源から第２の電源に切り替えるステップを備えるように構成している。
【発明の効果】
【００１１】
上記のように構成することによって、予約録画の実行中に電力供給が中止となっても、録画予約された番組の終了まで確実に、録画を実行することが可能になるという効果がある。
【発明を実施するための最良の形態】
【００１２】
以下、この発明の実施の形態について図面を参照して詳細に説明する。
【００１３】
図１は、この実施の形態で説明するテレビジョン放送受信装置（映像受信装置）１１の正面側の外観を示している。すなわち、このテレビジョン放送受信装置（映像受信装置）１１は、主として、装置本体となるほぼ四角形状に形成された薄型のキャビネット１２と、このキャビネット１２を起立させて支持するスタンド１３とから構成されている。
【００１４】
そして、上記キャビネット１２には、その正面に、例えば平面型液晶表示パネル等でなる映像表示器１４の表示画面１４ａが露出されるとともに、一対のスピーカ１５、操作部１６、後述するリモートコントローラ（図１では図示せず）１７から送信される操作情報を受けるための受光部１８等が配置されている。
【００１５】
また、上記スタンド１３は、ほぼ薄型の箱状に形成されており、その一方の平面である底面板１３ａを、水平に設置された所定の基台（図示せず）上に載置するように構成されている。そして、このスタンド１３は、上記基台上に載置される面と反対側の面である上面板１３ｂのほぼ中央部から上方に突出する支持部材１９が、上記キャビネット１２の背面に連結されることにより、キャビネット１２を起立させた状態で支持している。
【００１６】
ここで、上記スタンド１３は、その内部に後述するＨＤＤユニット（図１では図示せず）２０を収容可能となされている。そして、このスタンド１３の上面板１３ｂには、キャビネット１２よりも正面側にせり出している部分に、ＨＤＤユニット２０を記録、再生、停止状態等に制御するための、押圧操作可能な複数（図示の場合は４つ）の操作子２１が配置されている。
【００１７】
図２は、上記テレビジョン放送受信装置（映像受信装置）１１の信号処理系を概略的に示している。この信号処理系を構成する各種の回路ブロックは、主として、上記キャビネット１２の内部で背面に近い位置、つまり、上記映像表示器１４の表示画面１４ａの裏側あたりに配置されている。
【００１８】
そして、デジタルテレビジョン放送受信用のアンテナ２２で受信したデジタルテレビジョン放送信号は、入力端子２３を介してチューナ部２４に供給される。このチューナ部２４は、入力されたデジタルテレビジョン放送信号から所望のチャンネルの信号を選局し復調している。そして、このチューナ部２４から出力された信号は、デコーダ部２５に供給されて、例えばＭＰＥＧ（moving picture experts group）２デコード処理が施された後、セレクタ２６に供給される。
【００１９】
さらに、アナログテレビジョン放送受信用のアンテナ２７で受信したアナログテレビジョン放送信号は、入力端子２８を介してチューナ部２９に供給される。このチューナ部２９は、入力されたアナログテレビジョン放送信号から所望のチャンネルの信号を選局し復調している。そして、このチューナ部２９から出力された信号は、Ａ／Ｄ（analog／digital）変換部３０によりデジタル化された後、上記セレクタ２６に出力される。
【００２０】
また、アナログ信号用の入力端子３１に供給されたアナログの映像及び音声信号は、Ａ／Ｄ変換部３２に供給されてデジタル化された後、上記セレクタ２６に出力される。さらに、デジタル信号用の入力端子３３に供給されたデジタルの映像及び音声信号は、そのまま上記セレクタ２６に供給される。
【００２１】
上記セレクタ２６は、４種類の入力デジタル映像及び音声信号から１つを選択して、信号処理部３４に供給している。この信号処理部３４は、入力されたデジタル映像信号に所定の信号処理を施して上記映像表示器１４での映像表示に供させている。この映像表示部１４としては、例えば、液晶ディスプレイやプラズマディスプレイ等でなるフラットパネルディスプレイが採用される。また、上記信号処理部３４は、入力されたデジタル音声信号に所定の信号処理を施し、アナログ化して上記スピーカ１５に出力することにより、音声再生を行なっている。
【００２２】
ここで、このテレビジョン放送受信装置（映像受信装置）１１は、上記した各種の受信動作を含む種々の動作を制御部３５によって統括的に制御されている。この制御部３５は、ＣＰＵ（central processing unit）等を内蔵したマイクロプロセッサであり、上記操作部１６や操作子２１（図２では図示せず）からの操作情報、または、上記リモートコントローラ１７から送信された操作情報を、受光部１８を介して受けることにより、その操作内容が反映されるように各部をそれぞれ制御している。
【００２３】
この場合、制御部３５は、メモリ部３６を使用している。このメモリ部３６は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００２４】
ここで、上記制御部３５は、スタンド１３内に収容されたＨＤＤユニット２０と接続されている。この場合、制御部３５からＨＤＤユニット２０に電源電力及び制御信号の供給を行なうライン３７は、接続部３８を介して制御部２６とＨＤＤユニット２０とを接続している。
【００２５】
また、制御部３５とＨＤＤユニット２０との間でデジタル映像及び音声信号を授受するライン３９は、ｉ．Link接続部４０を介して制御部３５とＨＤＤユニット２０とを接続している。すなわち、制御部３５とＨＤＤユニット２０との間でのデジタル映像及び音声信号の伝送は、電源及び制御信号とは別個にｉ．Linkによって行なわれる。
【００２６】
そして、上記テレビジョン放送受信装置（映像受信装置）１１は、セレクタ２６で選択されたデジタルの映像及び音声信号を、ＨＤＤユニット２０により記録することができるとともに、ＨＤＤユニット２０に記録されたデジタルの映像及び音声信号を再生し、視聴に供させることができる。
【００２７】
図３は、上記スタンド１３を背面側から見た状態を示している。すなわち、スタンド１３は、前述したようにほぼ薄型の箱状に形成されており、その背面板１３ｃから上面板１３ｂのほぼ中央部にかけての大部分が連続的に開口されることにより、着脱用口１３ｄが形成されている。この着脱用口１３ｄは、図示しない蓋体によって閉塞することが可能である。
【００２８】
このスタンド１３の底面板１３ａのほぼ中央部には、円筒形状の支持柱体４１が垂直に突設されている。この支持柱体４１は、その先端部が上面板１３ｂに形成された着脱用口１３ｄを介して、上面板１３ｂよりも上方に突出されている。そして、この支持柱体４１の先端部に、上記キャビネット１２と連結される支持部材１９が取着されている。
【００２９】
また、スタンド１３は、その内部の大部分が空洞になっており、上記ＨＤＤユニット２０を収容可能な収容部４２となっている。この場合、ＨＤＤユニット２０は、スタンド１３の外部より、スタンド１３の背面側の着脱用口１３ｄから底面板１３ａに沿うように挿入されることによって、スタンド１３内部に収容される。また、スタンド１３内部に収容されたＨＤＤユニット２０は、スタンド１３の背面側の着脱用口１３ｄから底面板１３ａに沿うようにして、スタンド１３の外部に取り出すことができる。
【００３０】
すなわち、ＨＤＤユニット２０は、スタンド１３内に収容されて映像及び音声信号の記録再生を行なえるとともに、スタンド１３に対して着脱が可能なように、つまり、交換が可能となるように構成されている。
【００３１】
図４は、この発明の実施の形態におけるテレビジョン放送受信装置（映像受信装置）のバッテリとの切り替えの構成を示すブロック図である。
【００３２】
テレビジョン放送受信装置（映像受信装置）１１は、バッテリを備えている。そして後述するように、通常は商用電源（第１の電源）に接続され、電力（電源）の供給を受けている。また、バッテリ（第２の電源）は商用電源（第１の電源）から切り替え接続可能に構成している。
【００３３】
そして、制御部３５において、録画手段の録画動作が実行されているかを判定する。また、商用電源（第１の電源）に接続され、録画動作が実行されている場合に録画手段への商用電源（第１の電源）からの電力供給に異常があるかを判定する。商用電源（第１の電源）からの電力供給に異常があると判定した場合は、録画手段への電力供給を商用電源（第１の電源）からバッテリ（第２の電源）に切り替える。商用電源（第１の電源）からの電力供給に異常があると判定された場合はバッテリ（第２の電源）から供給された電力を用いて録画を継続する。
【００３４】
ここでは、電力供給異常の判定の基準として、供給電力の電圧低下を検出している。
【００３５】
図５は、この発明の実施の形態におけるテレビジョン放送受信装置（映像受信装置）の録画に係る動作を説明するフローチャートである。
【００３６】
符号１００はここでの開始ステップである。続いて符合１０１を付したステップへ進む。
【００３７】
符号１０１は放送番組を録画中かを判定するステップである。放送番組を録画中と判定した場合は符号１０２を付したステップへ進む（Ｙｅｓ）。放送番組を録画中と判定しない場合はここでの処理を繰り返す（Ｎｏ）。
【００３８】
符号１０２は録画手段への電力供給（電源供給）に異常があるかを判定するステップである。録画手段への電力供給（電源供給）に異常があると判定した場合は符合１０３を付したステップへ進む（Ｙｅｓ）。録画手段への電力供給（電源供給）に異常がないと判定した場合はここでの処理を繰り返す（Ｎｏ）。
【００３９】
符号１０３は録画中の番組は予約されているかを判定するステップである。録画中の番組は予約されていると判定した場合は符合１０４を付したステップへ進む（Ｙｅｓ）。録画中の番組は予約されていないと判定した場合はここでの処理を繰り返す（Ｎｏ）。
【００４０】
符号１０４は録画手段への電力供給（供給電源）を商用電源からバッテリに切り替えるステップである。続いて符合１０５を付したステップへ進む。
【００４１】
符号１０５は録画手段への電力供給（供給電源）をバッテリに切り替え、予約録画（録画予約）の終了時刻まで録画を継続するステップである。続いて符合１０６を付したステップへ進む。
【００４２】
符号１０６は予約録画（録画予約）の終了時刻に達したかを判定するステップである。予約録画（録画予約）の終了時刻に達したと判定した場合は符合１０７を付したステップへ進む（Ｙｅｓ）。予約録画（録画予約）の終了時刻に達していないと判定した場合はここでの処理を繰り返す（Ｎｏ）。
【００４３】
符号１０７は録画手段への電力供給（供給電源）をバッテリから商用電源に切り替えるステップである。続いて符合１０８を付したステップへ進む。
【００４４】
符号１０８は終了ステップであり、ここでの処理は終了する。
【００４５】
上述したように、この発明に係る映像受信装置は、映像信号を受信する映像信号受信手段（２４，２９）と、第１の電源（商用電源）に接続され、前記受信した映像信号を前記録画媒体（ＨＤＤ）に録画する録画手段（２０）と、前記第１の電源（商用電源）から切り替え接続可能に構成される第２の電源（バッテリ）と、前記録画手段（２０）の録画動作が実行されているかを判定する録画判定手段（３５）と前記第１の電源（商用電源）に接続され、前記録画動作が実行されている場合に前記録画手段（２０）への第１の電源（商用）からの電力供給に異常があるかを判定する電力供給判定手段（３５）と、前記第１の電源（商用電源）からの電力供給に異常があると判定された場合は前記録画手段（２０）への電力供給を前記第１の電源（商用電源）から前記第２の電源（バッテリ）に切り替える電源切り替え手段（３５）を備え、前記第１の電源（商用電源）からの電力供給に異常があると判定された場合は前記第２の電源（バッテリ）から供給された電源を用いて前記録画を継続するように構成している。
【００４６】
このため、映像受信装置において、予約録画の実行中に映像受信装置への電力供給が中断された場合においても、録画予約された番組の終了まで確実に、録画を実行することが可能になるという効果がある。
【００４７】
またこの発明に係る映像受信装置は、上記説明したように録画動作が実行されている番組は録画予約されているかを判定する録画予約判定手段（１０３）を備えており、いわゆる終了時刻が設定された録画予約と終了時刻が設定されない通常の録画を判別し、終了時刻が設定された録画予約がされている場合は、録画予約の終了時刻に基づいて録画を終了させるように構成している。これによって、終了時刻が設定された録画予約を確実に実行させることが可能となる。
【００４８】
また、この発明に係る映像受信装置は、上記説明したように、第２の電源（バッテリ）から供給された電源を用いた録画の実行後に、第１の電源（商用電源）からの電力供給に変更することも可能である。これによって、第２の電源（バッテリ）の電力消耗を防止することが可能となる。
【００４９】
上記説明においては、映像受信装置の一例としてＨＤＤ内蔵ＴＶを用いて説明を行ったが、ＶＴＲ装置やＤＶＤ装置等の録画媒体内蔵装置においてもこの発明は適用可能である。
【００５０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５１】
【図１】この発明の実施の形態を示すもので、テレビジョン放送受信装置（映像受信装置）を説明するために示す外観図。
【図２】同実施の形態におけるテレビジョン放送受信装置（映像受信装置）の信号処理系を説明するために示すブロック構成図。
【図３】同実施の形態におけるテレビジョン放送受信装置（映像受信装置）のスタンドを背面側から見た状態を説明するために示す斜視図。
【図４】この発明の実施の形態におけるテレビジョン放送受信装置（映像受信装置）のバッテリとの切り替えの構成を示すブロック図。
【図５】この発明の実施の形態におけるテレビジョン放送受信装置（映像受信装置）の録画に係る動作を説明するフローチャート。
【符号の説明】
【００５２】
１１…テレビジョン放送受信装置（映像受信装置）、１２…キャビネット、１３…スタンド、１４…映像表示器（映像表示部、開始映像表示手段）、１５…スピーカ、１６…操作部、１７…リモートコントローラ、１８…受光部、１９…支持部材、２０…ＨＤＤユニット（記録手段）、２１…操作子、２２…アンテナ、２３…入力端子、２４…チューナ部、２５…デコーダ部、２６…セレクタ、２７…アンテナ、２８…入力端子、２９…チューナ部、３０…Ａ／D変換部、３１…入力端子、３２…Ａ／Ｄ変換部、３３…入力端子、３４…信号処理部、３５…制御部（画質調整開始指示検出手段、画質調整終了指示検出手段）、３６…メモリ部、３７…ライン、３８…接続部、３９…ライン、４０…ｉ．Link接続部、４１…支持柱体、４２…収容部
【図１】
2007180601.tif 000003
【図２】
2007180601.tif 000004
【図３】
2007180601.tif 000005
【図４】
2007180601.tif 000006
【図５】
2007180601.tif 000007